(57)【特許請求の範囲】
【請求項１】
本体(１)の下側に設けられた略長方形状の開口部(１a)を覆う点検パネル(２)と、
上記点検パネル(２)の一方の短辺側に設けられ、上記点検パネル(２)を開閉自在に支持するヒンジ(４)と、
上記点検パネル(２)の他方の短辺側を上記本体(１)側に係止する係止部(５)と、
上記点検パネル(２)に取り外し可能に取り付けられたエアフィルタ(３)と、
上記点検パネル(２)を閉じる方向に付勢するバネ部材(６)とを備え、
上記係止部(５)は、上記本体(１)側のキャッチャーと上記点検パネル(２)側のピンとを有し、上記点検パネル(２)側のピンを上記本体(１)側のキャッチャーに一度押し込むと上記キャッチャーに上記ピンが保持され、上記ピンをもう一度上記キャッチャーに押し込むと上記ピンが上記キャッチャーから外れて、上記ピンを上記キャッチャーに押し込む動作毎に上記ピンが保持された状態と外れた状態を交互に繰り返すようになっていて、
上記点検パネル(２)が開いた状態から上記点検パネル(２)の上記係止部(５)近傍を上方に押すことにより、上記点検パネル(２)をスライドさせることなく上記係止部(５)により上記点検パネル(２)を上記本体(１)側に係止する一方、
上記点検パネル(２)を上記本体(１)側に係止させて閉じた状態から上記点検パネル(２)の上記係止部(５)近傍を上方に押すことにより、上記点検パネル(２)をスライドさせることなく上記係止部(５)が外れて上記点検パネル(２)が開くことを特徴とする天井埋込型空気調和機。
【発明の詳細な説明】
【０００１】
【発明の属する技術分野】
この発明は、本体下側に点検パネルを有する天井埋込型空気調和機に関する。
【０００２】
【従来の技術】
従来より、天井埋込型空気調和機としては、図８に示すように、天井に埋め込まれる本体４０の下側に化粧パネル４１を取り付けたものがある。この天井埋込型空気調和機は、図９に示すように、化粧パネル４１を取り外した後、本体４０の吸込口４０aからエアフィルタ４２を取り外して、内部の点検やエアフィルタ４２の清掃を行う。
【０００３】
【発明が解決しようとする課題】
ところが、上記天井埋込型空気調和機は、室内の高所に据え付けられているため、エアフィルタの清掃等のメンテナンスでは、脚立等を使用して作業しなければならないという欠点がある。また、このような欠点を解消するために、エアフィルタ装着部を電動により昇降可能にしたものもあるが、構造が複雑でコストが高くつくという問題がある。
【０００４】
そこで、この発明の目的は、簡単な構造でかつ低コストに点検パネルの開閉ができ、エアフィルタの着脱が容易にできる天井埋込型空気調和機を提供することにある。
【０００５】
【課題を解決するための手段】
上記目的を達成するため、請求項１の天井埋込型空気調和機は、
本体の下側に設けられた略長方形状の開口部を覆う点検パネルと、
上記点検パネルの一方の短辺側に設けられ、上記点検パネルを開閉自在に支持するヒンジと、
上記点検パネルの他方の短辺側を上記本体側に係止する係止部と、
上記点検パネルに取り外し可能に取り付けられたエアフィルタと、
上記点検パネルを閉じる方向に付勢するバネ部材とを備え、
上記係止部は、上記本体側のキャッチャーと上記点検パネル側のピンとを有し、上記点検パネル側のピンを上記本体側のキャッチャーに一度押し込むと上記キャッチャーに上記ピンが保持され、上記ピンをもう一度上記キャッチャーに押し込むと上記ピンが上記キャッチャーから外れて、上記ピンを上記キャッチャーに押し込む動作毎に上記ピンが保持された状態と外れた状態を交互に繰り返すようになっていて、
上記点検パネルが開いた状態から上記点検パネルの上記係止部近傍を上方に押すことにより、上記点検パネルをスライドさせることなく上記係止部により上記点検パネルを上記本体側に係止する一方、
上記点検パネルを上記本体側に係止させて閉じた状態から上記点検パネルの上記係止部近傍を上方に押すことにより、上記点検パネルをスライドさせることなく上記係止部が外れて上記点検パネルが開くことを特徴としている。
【０００６】
上記請求項１の天井埋込型空気調和機によれば、本体内部の点検やエアフィルタの清掃を行う場合、上記係止部を外して、上記点検パネルの一方の短辺側のヒンジを軸に点検パネルを開くと、点検パネルはバネ部材によって閉じる方向に付勢されるので、点検パネルがその自重によって急に開くことがなく、点検パネルの自重により開こうとする力とバネ部材の張力とがつり合って、点検パネルが所定の開度で止まる。こうして、上記点検パネルが一方の短辺側を軸に長手方向を半径にして開くので、その点検パネルに取り付けられたエアフィルタが作業者の手が届く高さになり、脚立等を用いることなく、エアフィルタを外す。そして、外したエアフィルタを清掃した後、清掃されたエアフィルタを元の点検パネルに取り付けて、再び点検パネルを閉じると、点検パネルが係止部によって本体側に係止される。上記点検パネルを閉じるとき、バネ部材が点検パネルを閉じる方向に付勢するので、点検パネルを小さな力で閉じることができる。したがって、簡単な構造でかつ低コストに点検パネルの開閉ができ、エアフィルタの着脱が容易にできる。
【０００７】
【０００８】
また、天井に埋め込まれた本体の下方から例えば作業者が棒等で点検パネルの係止部近傍を上方に押すことによって、係止部を外した後、点検パネルを開く一方、点検パネルを閉じる場合は、同様に棒等で点検パネルの係止部近傍を上方に押すことによって、係止部により点検パネルを本体側に係止して、点検パネルを閉じるので、脚立や上記係止部を操作する特別な工具等を用いることなく、点検パネルを容易に開閉でき、作業性が向上する。
【０００９】
【発明の実施の形態】
以下、この発明の天井埋込型空気調和機を図示の実施の形態により詳細に説明する。
【００１０】
図１はこの発明の実施の一形態の天井埋込型空気調和機の要部の断面図であり、１は図示しない本体の下側に取り付けられた化粧パネル、２は上記化粧パネル１に設けられた略長方形状の開口部１aに取り付けられた点検パネル、３は上記点検パネル２の上側に取り付けられたエアフィルタである。上記点検パネル２の一方の短辺側を化粧パネル１の開口部１aにヒンジ４により回動自在に支持している。一方、上記点検パネル２の他方の短辺側を係止部としてのキャッチャー５(タキゲン製造株式会社製：ワンタッチキャッチＣ−５４０)により化粧パネル１に係止している。また、上記化粧パネル１側にバネ部材としてのコイルバネ６の一端を取付金具７により取り付けると共に、そのコイルバネ６の他端を点検パネル２のヒンジ４側に取付金具８により取り付けている。
【００１１】
図２(A)は上記キャッチャー５の正面図を示しており、このキャッチャー５は、図１に示す化粧パネル１に固定金具９を介して固定されたキャッチャー本体１１と、図１に示す点検パネル２に固定金具１０を介して固定された略Ｔ字形状のピン１４とを有している。上記キャッチャー本体１１に長手方向に出没するセンター突起１３を設けている。このセンター突起１３は、キャッチャー本体１１内の図示しない内部バネにより外向きに付勢されている。また、上記センター突起１３の両側には、センター突起１２の出没に応じて開閉するフック１３,１３を設けている。一方、上記ピン１４の球状の先端部１５をセンター突起１２に当接させて、ピン１４をキャッチャー本体１１内に矢印Ｒ2の方向に押し込むと、図２(B)に示すように、フック１３,１３がピン１４の先端部１５を挟み込むように閉じて、キャッチャー本体１１にピン１４が保持される。この状態では、センター突起１３が没入した状態で外向に対しては抜けないように保持機構により保持されるので、ピン１４は外向に引っ張っても外れない。それとは逆に、上記ピン１４を矢印Ｒ3の方向に押すと、センター突起１３を保持する保持機構が外れ、センター突起１３が内部バネにより外向に突出して、それに応じてフック１３,１３が開いてピン１４が外れる。
【００１２】
また、図３は図１の天井埋込型空気調和機の要部を斜め上方から見た斜視図であり、上記エアフィルタ３を点検パネル２の上側に取付金具２１,２１を用いて着脱可能に取り付けている。このエアフィルタ３は、図４に示すように、略長方形状の網部３aとその網部３aの両短辺側に設けられた取付アーム３b,３bとで構成されている。
【００１３】
なお、上記エアフィルタ３は、これに限らず、例えば図５に示すように、エアフィルタ３の網部３aを取り除いたような枠３１の内側に、外周にフランジ３２aを設けたエアフィルタ３２を取り付けたものでもよい。このエアフィルタ３２は、エアフィルタ用のシート材がじゃばら状に折り曲げられたものを略長方形の枠内に収めている。
【００１４】
上記構成の天井埋込型空気調和機では、図６に示すように、高さ２７００mm〜３０００mmの天井内に本体１０が取り付けられている場合、脚立を用いないと、点検パネル２に直接手が届かない。しかしながら、この空気調和機では、例えば図７に示すように、作業者が手に持った操作棒３０の先端を点検パネル２のキャッチャー５(図１に示す)近傍を上方に押すことによって、キャッチャー本体１１からピン１４が外れて、本体１０の下側の点検パネル２を開くことができる。このとき、上記点検パネル２は、コイルバネ６によって閉じる方向に付勢されるので、点検パネル２が点検パネル２がゆっくりと開き、その点検パネル２の自重によって急に開くような危険なことがなく、点検パネル２の自重により開こうとする力とバネ部材の張力とがつり合って、点検パネル２が所定の開度で止まる。そうすると、図６に示すように、点検パネル２が一方の短辺側を軸に長手方向を半径にして開くので、点検パネル２に取り付けられたエアフィルタ３が作業者の手が届く高さになり、脚立等を用いることなく、エアフィルタ３を点検パネル２から外して清掃する。なお、この場合、補助的に高さ３００mm程度の踏み台を用いることによって、作業性がよくなる。そして、清掃されたエアフィルタ３を元の点検パネル２に取り付けて、再び点検パネル２を閉じ、操作棒３０の先端を点検パネル２のキャッチャー５近傍を押すことによって、点検パネル２がキャッチャー５によって化粧パネル１側に係止される。上記点検パネル２を閉じるとき、コイルバネ６が点検パネル２を閉じる方向に引っ張るので、点検パネル２を小さな力で閉じることが可能になる。
【００１５】
したがって、上記天井埋込型空気調和機は、簡単な構造でかつ低コストに点検パネル２の開閉ができると共に、開いた点検パネル２と共にエアフィルタ３が低い位置になるので、エアフィルタ３を容易に着脱することができる。
【００１６】
また、上記キャッチャー５を用いることによって、作業者が天井に埋め込まれた本体の下方から操作棒３０等によって、閉じた状態の点検パネル２を上方に押して、点検パネル２を開く一方、開いた点検パネル２を、同様に操作棒３０等により上方に押して、再び点検パネル２を閉じることができ、作業者が脚立やキャッチャー５等の係止部を操作する特別な工具等を用いることなく、点検パネル２を容易に開閉でき、作業性を向上させることができる。
【００１７】
上記実施の形態では、本体の下側に取り付けられた化粧パネル１の開口部１aに点検パネル２を取り付けたが、化粧パネルなしに本体の下側に設けられた開口部に点検パネルを取り付けてもよい。
【００１８】
また、上記実施の形態では、バネ部材としてコイルバネ６を用いたが、バネ部材はこれに限らず、鋼線を折り曲げたスプリング等を用いてもよい。
【００１９】
また、上記実施の形態では、上記係止部としてのキャッチャー５にタキゲン製造株式会社製のワンタッチキャッチを用いたが、これに限らず、係止部は、一度押すと点検パネルを本体側に係止させ、もう一度押すと外れて、これを交互に繰り返すものであればよい。
【００２０】
【００２１】
【００２２】
【発明の効果】
以上より明らかなように、請求項１の発明の天井埋込型空気調和機は、本体の下側に設けられた略長方形状の開口部を覆う点検パネルを、その点検パネルの一方の短辺側に設けられたヒンジにより開閉自在に支持する一方、上記点検パネルの他方の短辺側を係止部により本体側に係止し、上記点検パネルにエアフィルタを取り外し可能に取り付けると共に、上記点検パネルをバネ部材により閉じる方向に付勢するものであり、点検パネルが開いた状態から点検パネルの係止部近傍を上方に押すことにより、点検パネルをスライドさせることなく係止部により点検パネルを本体側に係止する一方、点検パネルを本体側に係止させて閉じた状態から点検パネルの係止部近傍を上方に押すことにより、点検パネルをスライドさせることなく係止部が外れて点検パネルが開くものである。
【００２３】
したがって、請求項１の発明の天井埋込型空気調和機によれば、本体内部の点検やエアフィルタの清掃する場合、上記係止部を外して、上記点検パネルの一方の短辺側のヒンジを軸に点検パネルを開き、点検パネルの自重により開こうとする力とバネ部材の張力とがつり合って、点検パネルが所定の開度で止まり、作業者が脚立等を用いることなく、点検パネルに取り付けられたエアフィルタが手が届く高さになるので、簡単な構造でかつ低コストに点検パネルの開閉ができ、エアフィルタの着脱を容易に行うことができる。また、上記点検パネルがバネ部材によって閉じる方向に付勢されるので、点検パネルがその自重によって急に開くことがなく、作業の安全性が向上する。さらに、上記点検パネルを閉じるとき、バネ部材が点検パネルを閉じる方向に付勢するので、点検パネルを小さな力で閉じることができる。
【００２４】
【００２５】
また、作業者が天井に埋め込まれた本体の下方から例えば棒等によって上記点検パネルの係止部近傍を上方に押すことによって、係止部を外した後に点検パネルを開く一方、開いた点検パネルの係止部近傍を同様に棒等により上方に押すことによって、点検パネルを係止部によって本体側に係止して、点検パネルを閉じるので、作業者が脚立や上記係止部を操作する特別な工具等を用いることなく、点検パネルを容易に開閉でき、作業性を向上させることができる。
【図面の簡単な説明】
【図１】  図１はこの発明の実施の一形態の天井埋込型空気調和機の要部の断面図である。
【図２】  図２は上記天井埋込型空気調和機の係止部の正面図である。
【図３】  図３は上記天井埋込型空気調和機の化粧パネルと点検パネルの斜視図である。
【図４】  図４は上記天井埋込型空気調和機のエアフィルタの斜視図である。
【図５】  図５は他の例のエアフィルタの分解斜視図である。
【図６】  図６は上記天井埋込型空気調和機の開閉状態を示す図である。
【図７】  図７は上記天井埋込型空気調和機の点検パネルを操作棒を用いて開ける場合を示す図である。
【図８】  図８は従来の天井埋込型空気調和機の上方から見た斜視図である。
【図９】  図９は上記天井埋込型空気調和機の化粧パネルを外した状態を下方から見た斜視図である。
【符号の説明】
１…化粧パネル、２…点検パネル、３…エアフィルタ、
４…ヒンジ、５…キャッチャー、６…コイルバネ、
１１…キャッチャー本体、１２…センター突起、
１３…フック、１４…ピン、１５…先端部。
【図１】
0003903518.tif 000002
【図２】
0003903518.tif 000003
【図３】
0003903518.tif 000004
【図４】
0003903518.tif 000005
【図５】
0003903518.tif 000006
【図６】
0003903518.tif 000007
【図７】
0003903518.tif 000008
【図８】
0003903518.tif 000009
【図９】
0003903518.tif 000010